(57)【要約】 【課題】簡便なる構成であり、かつ、スピンドルの操作性が向上するスピンドルの制動装置を提供する。【解決手段】一端がブッシュ２１２に取り付けられるシリンダ６１０と、シリンダ６１０内を移動可能に設けられたピストン６２０と、ピストン６２０により区画された第１シリンダ室６１１および第２シリンダ室６１２と、第１シリンダ室６１１と第２シリンダ室６１２とを連通して流体を流通させる主流路６４０と、第１シリンダ室６１１と第２シリンダ室６１２とを連通する微流路６５０と、主流路６４０を開閉する開閉手段６６０と、スピンドル３００の移動に開閉手段６６０の動作を連動させ、スピンドル３００が一端側へ移動する際に開閉手段６６０に主流路６４０を閉じさせ、スピンドル３００が他端側へ移動する際に開閉手段６６０に主流路６４０を開かせる連動手段６７０と、を備える。【選択図】図４
2005300270.tif 000002
【特許請求の範囲】
【請求項１】
筒形状のブッシュに挿通された状態で軸方向に往復移動可能に設けられ一端に測定子を有するスピンドルの移動速度を制動する制動装置であって、
一端が前記ブッシュに取り付けられるとともに前記スピンドルが往復移動する空間を有するシリンダと、
前記シリンダの他端を閉塞するシリンダキャップと、
前記スピンドルの他端側において前記シリンダ内を前記スピンドルとともに移動可能に設けられたピストンと、
前記シリンダ内の前記ブッシュ側において前記ピストンにより区画された第１シリンダ室と、
前記シリンダ内において前記ピストンおよび前記シリンダキャップにて前記第１シリンダ室とは反対側に区画された第２シリンダ室と、
前記第１シリンダ室と前記第２シリンダ室とを連通して流体が流通可能に設けられた主流路と、
前記第１シリンダ室と前記第２シリンダ室とを連通し比較的微量の流体が流通可能に設けられた微流路と、
前記主流路を開閉する開閉手段と、
前記スピンドルの移動に前記開閉手段の開閉動作を連動させて、前記スピンドルが一端側へ移動する際に前記開閉手段に前記主流路を閉じさせるとともに、前記スピンドルが他端側へ移動する際に前記開閉手段に前記主流路を開かせる連動手段と、を備えた
ことを特徴とするスピンドルの制動装置。
【請求項２】
請求項１に記載のスピンドルの制動装置において、
前記主流路は、前記ピストンに貫通形成された貫通孔により構成され、
前記開閉手段は、前記主流路に設けられた弁座と、この弁座を間にして前記スピンドルとは反対側から前記弁座に接離可能に着座する弁体と、を備え、
前記連動手段は、前記貫通孔に挿通された状態で前記スピンドルと前記弁体とを連結し、かつ、前記弁体が前記弁座に着座した状態で前記スピンドルと前記ピストンとの間に所定ギャップを確保する長さを有する弁棒により構成されている
ことを特徴とするスピンドルの制動装置。
【請求項３】
請求項１または請求項２に記載のスピンドルの制動装置において、
前記主流路は、前記ピストンに貫通形成された貫通孔により構成され、
前記開閉手段は、
前記主流路に設けられた弁座と、
この弁座を間にして前記スピンドルとは反対側から前記弁座に接離可能に着座する弁体と、
前記弁座に配設され、前記弁体が前記弁座に着座した際に前記弁座と前記弁体とにて挟持されて前記弁座と前記弁体との間を封止する弾性部材と、を備える
ことを特徴とするスピンドルの制動装置。
【請求項４】
本体ケースと、
前記本体ケースを貫通して軸方向に移動自在に設けられたスピンドルと、
前記本体ケースに設けられ前記スピンドルをガイドするブッシュと、
前記スピンドルの変位量を表示する表示手段と、
請求項１ないし請求項３のいずれかに記載のスピンドルの制動装置と、を備えた
ことを特徴とする測定器。
【請求項５】
本体ケースと、
前記本体ケースを貫通して軸方向に移動自在に設けられたスピンドルと、
前記本体ケースに設けられ前記スピンドルをガイドするブッシュと、
前記スピンドルの変位量を表示する表示手段と、
請求項２または請求項３に記載のスピンドルの制動装置と、
一端が前記弁体に取り付けられるとともにシリンダの他端側開口から他端が突出する状態に設けられたリフター部と、を備えた
ことを特徴とする測定器。
【発明の詳細な説明】
【技術分野】
【０００１】
本発明は、スピンドルの制動装置および測定器に関し、例えば、スピンドルの降下速度を制動するスピンドルの制動装置等に関する。
【背景技術】
【０００２】
従来、本体ケースを貫通して上下動するスピンドルを有する測定器としてダイヤルゲージが知られ、スピンドルの先端に設けられる測定子が被測定物に強く激突することを回避するために、スピンドルの急激な落下を防止する制動手段（スピンドルの制動装置）を備えたダイヤルゲージが知られている（例えば、特許文献１）。
図８は、従来のダイヤルゲージ８００の制動手段７００を示す図である。
図８において、ダイヤルゲージ８００は、本体ケース２００を貫通して上下動可能に設けられたスピンドル３００と、スピンドル３００の上端側をガイドするガイド手段としてのブッシュ２１２と、スピンドル３００を制動する制動手段７００と、を備えている。
スピンドル３００は、図示しない付勢手段により下方へ向けて付勢されている。
制動手段７００は、ブッシュ２１２の上端側に外嵌する長筒状のシリンダ６１０と、シリンダ６１０内を摺動可能に設けられた可動部材７１０と、を備える。
【０００３】
ブッシュ２１２は、シリンダ６１０に対して気密性を保持するように圧入されている。
シリンダ６１０の上端側には、隔壁体７４０と、隔壁体７４０との間に弁室を区画形成するキャップ７６０と、が設けられている。
隔壁体７４０はシリンダ６１０内部を弁室に連通する貫通孔７４２を有し、隔壁体７４０は、貫通孔７４２の上端側開口において径大するテーパ状の弁座７４１を有する。弁座７４１にはボール７５０が着座して、貫通孔７４２が閉塞される。
キャップ７６０は、弁室と外部とを連通する通気孔７６１を有する。
【０００４】
可動部材７１０は、シリンダ６１０内においてブッシュ２１２との間に第１区画室６１６を区画形成し、シリンダ６１０内において隔壁体７４０との間に第２区画室６１７を区画形成する。可動部材７１０の外径はシリンダ６１０の内径よりも僅かに小さく、可動部材７１０とシリンダ６１０の内壁との間には所定の隙間が存在する。可動部材７１０には貫通孔７１１が形成されているところ、スピンドル３００の上端にストップねじ７２０と取付ねじ７３０とが順に螺合され、取付ねじ７３０の頭部７３１が可動部材７１０の貫通孔７１１の内壁面に係合することにより、可動部材７１０とスピンドル３００とが一体化されている。なお、可動部材７１０の貫通孔７１１はキャップ７１２により封止されている。
【０００５】
このような構成において、第１区画室６１６および第２区画室６１７は、可動部材７１０とシリンダ内壁面との隙間を除いて略気密室となる。そして、可動部材７１０が下方に降下する際には第１区画室６１６の圧力が増大し、第２区画室６１７の圧力が減少する。これにより、可動部材７１０はシリンダ６１０内においてある程度重力に抗してフロートする構成となり、可動部材７１０に働く浮力によってスピンドル３００の制動が実現される。
ちなみに、隔壁体７４０の弁座７４１に着座したボール体７５０は、ダイヤルゲージ８００を横に倒したときにスピンドル３００および可動部材７１０に作用する（軸方向の）重力が小さくなるのに対応して、ダイヤルゲージ８００が横に倒れたときには貫通孔７４２を開放して制動力を小さくするために設けられている。
【０００６】
【特許文献１】特開平３−７０７６１号公報
【発明の開示】
【発明が解決しようとする課題】
【０００７】
しかしながら、特許文献１に開示される構成では、第１区画室６１６および第２区画室６１７の気密性を確保する必要がある。そのため、シリンダ６１０の両端の開口を液密に閉塞するための構成部品が多くなったり組み立て工数が増大するという問題が一例として挙げられる。
【０００８】
本発明の目的は、簡便なる構成であり、かつ、スピンドルの操作性が向上するスピンドルの制動装置および測定器を提供することにある。
【課題を解決するための手段】
【０００９】
本発明のスピンドルの制動装置は、筒形状のブッシュに挿通された状態で軸方向に往復移動可能に設けられ一端に測定子を有するスピンドルの移動速度を制動する制動装置であって、一端が前記ブッシュに取り付けられるとともに前記スピンドルが往復移動する空間を有するシリンダと、前記シリンダの他端を閉塞するシリンダキャップと、前記スピンドルの他端側において前記シリンダ内を前記スピンドルとともに移動可能に設けられたピストンと、前記シリンダ内の前記ブッシュ側において前記ピストンにより区画された第１シリンダ室と、前記シリンダ内において前記ピストンおよび前記シリンダキャップにて前記第１シリンダ室とは反対側に区画された第２シリンダ室と、前記第１シリンダ室と前記第２シリンダ室とを連通して流体が流通可能に設けられた主流路と、前記第１シリンダ室と前記第２シリンダ室とを連通し比較的微量の流体が流通可能に設けられた微流路と、前記主流路を開閉する開閉手段と、前記スピンドルの移動に前記開閉手段の開閉動作を連動させて、前記スピンドルが一端側へ移動する際に前記開閉手段に前記主流路を閉じさせるとともに前記スピンドルが他端側へ移動する際に前記開閉手段に前記主流路を開かせる連動手段と、を備えたことを特徴とする。
【００１０】
この構成において、スピンドルが一端側へ移動する際にピストンもシリンダ内を一端側へ移動する。このとき、主流路は開閉手段により閉じられるので、第２シリンダ室には微流路のみから流体が微量ずつ流入することになる。すると、ピストンが一端側へ移動することにより第２シリンダ室に負圧が生じる。その結果、スピンドルが一端側へ向けて移動する際には第２シリンダ室の内圧（負圧）により大きな制動効果が得られる。
スピンドルが他端側へ移動すると、ピストンもシリンダ内を他端側へ移動する。このとき、主流路が開閉手段により開放されるので、第２シリンダ室は微流路に加えて主流路によっても第１シリンダ室に連通する。すると、第２シリンダ室からは微流路および主流路から流体が流出する。その結果、第２シリンダ室の正圧が抑制され、スピンドルが他端側へ向けて移動する際には制動効果が小さくなる。
すなわち、スピンドルが一端側に移動するときにのみ制動効果が得られ、スピンドルが他端側へ移動する際には制動効果が生じないようにできる。すなわち、スピンドルが一端側へ急激に移動（例えば落下）して被測定物に測定子が激突するなどの不都合を防止できる一方、スピンドルを他端側へ移動させる（例えば持ち上げる）ことが容易に行えるのでスピンドルの操作性が向上される。
また、この構成によれば、第２シリンダ室の内圧によってのみ制動効果が得られるので、第１シリンダ室は開放されていてもよい。その結果、従来に比べて第１シリンダ室を封止する工程が必要なくなる。
【００１１】
本発明では、前記主流路は、前記ピストンに貫通形成された貫通孔により構成され、前記開閉手段は、前記主流路に設けられた弁座と、この弁座を間にして前記スピンドルとは反対側から前記弁座に接離可能に着座する弁体と、を備え、前記連動手段は、前記貫通孔に挿通された状態で前記スピンドルと前記弁体とを連結し、かつ、前記弁体が前記弁座に着座した状態で前記スピンドルと前記ピストンとの間に所定ギャップを確保する長さを有する弁棒により構成されていることが好ましい。
【００１２】
この構成において、スピンドルが一端側に移動すると、貫通孔を通過する状態に設けられた弁棒によりスピンドルの移動が弁体に伝えられ、弁体がスピンドルとともに一端側に移動して弁座に着座する。つまり、スピンドルが一端側に移動する際には、弁体により主流路が閉じられる。
一方、スピンドルが他端側に移動すると、弁棒により弁体が他端側に押されて弁座から離れる。すると、主流路が開放される。
この構成によれば、弁棒によりスピンドルと弁体とが一体的に移動し、弁の開閉動作がスピンドルの移動に連動される。
そして、弁座を間にしてスピンドルとは反対側から弁体を着座させたうえで、この弁体が弁棒を介してスピンドルで引っ張られるので、スピンドルが一端側へ移動するときに弁体がより強く弁座に着座して主流路がより確実に閉じられる。すなわち、スピンドルが一端側へ移動する際には主流路が完全に閉じられて第２シリンダ室の（微流路を除いた）気密性が高められる。
さらに、弁体が弁棒を介してスピンドルとともに一体的に一端側に移動されるところ、このとき、弁座と弁体との係合によりピストンも一体的にスピンドルとともに一端側に引かれる。すると、スピンドルとピストンとを係合させる手段を別途設ける必要がないので、簡便な構成とすることができる。
【００１３】
本発明では、前記主流路は、前記ピストンに貫通形成された貫通孔により構成され、前記開閉手段は、前記主流路に設けられた弁座と、この弁座を間にして前記スピンドルとは反対側から前記弁座に接離可能に着座する弁体と、前記弁座に配設され、前記弁体が前記弁座に着座した際に前記弁座と前記弁体とにて挟持されて前記弁座と前記弁体との間を封止する弾性部材と、を備えることが好ましい。
【００１４】
この構成によれば、弁体が弁座に着座したときに弾性部材の弾性変形により弁座と弁体との隙間が完全に封止されて、第２シリンダ室の（微流路を除いた）気密性が高められる。
【００１５】
ここで、本発明では、前記微流路は、前記ピストンの外周面において軸線方向に沿って刻設され前記第１シリンダ室と前記第２シリンダ室とを連通する溝条にて構成されていることが好ましい。
この構成によれば、ピストンの位置に関わらず、また、主流路の開閉状態に関わらず、第１シリンダ室と第２シリンダ室との微小な連通が微流路によって確保される。
【００１６】
また、本発明では、前記スピンドルが他端側に移動して当該スピンドルの端面が前記ピストンの端面に当接した状態で、前記主流路を前記第１シリンダ室に連通させる連通路が確保されることが好ましい。
この構成によれば、スピンドルが他端側に移動して弁体が弁座から離間すれば、主流路を介して第１シリンダ室が第２シリンダ室に連通される。
【００１７】
本発明の測定器は、本体ケースと、前記本体ケースを貫通して軸方向に移動自在に設けられたスピンドルと、前記本体ケースに設けられ前記スピンドルをガイドするブッシュと、前記スピンドルの変位量を表示する表示手段と、前記スピンドルの制動装置と、を備えたことを特徴とする。
【００１８】
この構成によれば、上記に記載の発明と同様の作用効果を奏することができる。
なお、スピンドルの変位を表示する表示手段は、例えば、スピンドルの変位量をエンコーダ（例えば、光電式、静電容量式、磁気式のエンコーダ）で検出して、この検出値を表示してもよく、あるいは、スピンドルの変位量を歯車機構により拡大して表示してもよい。
【００１９】
ここで、本発明の測定器は、本体ケースと、前記本体ケースを貫通して軸方向に移動自在に設けられたスピンドルと、前記本体ケースに設けられ前記スピンドルをガイドするブッシュと、前記スピンドルの変位量を表示する表示手段と、前記スピンドルの制動装置と、を備え、一端が前記弁体に取り付けられるとともにシリンダの他端側開口から他端が突出する状態に設けられたリフター部を備えることが好ましい。
例えば、穴の深さ等を測定するにあたってはスピンドルの下端側を手で持つことができないが、スピンドルの上端側にスピンドルを持ち上げる手段としてリフター部が設けられているので、このリフター部によりスピンドルを持ち上げる操作を行うことができる。
【発明を実施するための最良の形態】
【００２０】
以下、本発明の実施の形態を図示するとともに図中の各要素に付した符号を参照して説明する。
（第１実施形態）
本発明の測定器に係る第１実施形態について図１〜図５を参照して説明する。
図１は測定器の全体図であり、図２は測定器の内部構成図である。図３はスピンドルの上端部および制動手段の構成を示す拡大断面図である。
第１実施形態の測定器は、ダイヤルゲージ（インジケータ）１００であって、内部に収納空間を有する本体ケース２００と、本体ケース２００を貫通して軸方向に摺動可能に設けられたスピンドル３００と、スピンドル３００を軸方向の一端側（下端側）に付勢する付勢手段４００（図２参照）と、スピンドル３００の変位量を検出する変位検出手段５００と、スピンドル３００の降下速度を制動する制動手段（スピンドルの制動装置）６００と、を備える。
【００２１】
本体ケース２００は、スピンドル３００の移動方向を案内するガイド手段２１０と、スピンドル３００の変位量を表示する出力手段としての表示部２２０と、を備える。
ガイド手段２１０は、スピンドル３００の下端側（一端側）をガイドするステム２１１と、スピンドル３００の上端側（他端側）をガイドするブッシュ２１２と、を備える。
ステム２１１およびブッシュ２１２は、図２に示されるように、対向位置において互いの軸線を一致させて本体ケース２００の側壁に取り付けられた筒状部材であり、ステム２１１およびブッシュ２１２の筒孔にスピンドル３００が摺動可能に摺嵌されている。
ブッシュ２１２は、短めの筒状部材であり、軸線方向の略中央において外周面からフランジ状に張り出したフランジ部２１３を有する。そして、図３に示されるように、ブッシュ２１２の外周面には、一端側（下端側）おいてフランジ部２１３との間に縮径部２１６を挟んで径大する下端側径大部２１７が形成されている。また、ブッシュ２１２の外周面には、他端側（上端側）においてフランジ部２１３との間に縮径部２１４を挟んで径大する上端側径大部２１５が形成されている。
フランジ部２１３よりも下端側（縮径部２１６、下端側径大部２１７）が本体ケース２００の側壁に圧入されることによりブッシュ２１２が本体ケース２００に取り付けられている。
【００２２】
スピンドル３００は、一端（下端）に所定の剛性を有する測定子３１０を備え、上端に雌ねじ部３２０を有する。
【００２３】
付勢手段４００は、本体ケース２００の収納空間内において、スピンドル３００と平行に固設されたガイドロッド４１０と、一端がガイドロッド４１０に沿ってスライド可能であり他端がスピンドル３００に固定されたガイド片４２０と、ガイドロッド４１０に外挿して設けられガイド片４２０の一端を下方に向けて付勢するコイルバネ４４０と、を備える。
【００２４】
変位検出手段５００は、スピンドル３００に取付部材５２０を介して平行に設けられたインデックススケール５１０と、本体ケース２００に固設されインデックススケール５１０の変位量を検出する検出部５３０と、を備える。検出部５３０で検出された検出値は、表示部２２０に表示される。
【００２５】
制動手段６００について説明する。
制動手段６００は、ブッシュ２１２の上端に取り付けられた長筒状のシリンダ６１０と、シリンダ６１０内をスピンドル３００とともに昇降可能に設けられシリンダ６１０内に第１シリンダ室６１１と第２シリンダ室６１２とを区画形成するピストン６２０と、第１シリンダ室６１１と第２シリンダ室６１２とを通気させる流路６３０と、流路６３０を開閉する開閉手段６６０と、開閉手段６６０の開閉動作をスピンドル３００の上下動に連動させる連動手段６７０と、を備える。
【００２６】
シリンダ６１０は、内壁が高精度に滑らかに仕上げられており、その下端にブッシュ２１２が圧入されている。すなわち、ブッシュ２１２のフランジ部２１３より上端（縮径部２１４、上端側径大部２１５）がシリンダ６１０の下端側開口に隙間なく嵌設されている。また、シリンダ６１０の上端にはシリンダキャップ６１３が嵌められ、シリンダ６１０の上端側開口が液密に封止されている。
【００２７】
ピストン６２０は、その外径がシリンダ６１０の内径に略等しい円柱形状である。
ピストン６２０は、その下端側においてブッシュ２１２およびスピンドル３００との間に第１シリンダ室６１１を区画形成し、また、ピストン６２０の上端側においてシリンダキャップ６２３との間に第２シリンダ室６１２を区画形成する。
ピストン６２０の下端面において、中央部に比べて立ち上がる外縁壁６２１が立設されている。
【００２８】
流路６３０は、第１シリンダ室６１１と第２シリンダ室６１２とを連通して比較的多量の気体を流通させる流路となる主流路６４０と、第１シリンダ室６１１と第２シリンダ室６１２とを連通し比較的少量の気体を流通させる流路となる微流路６５０と、を備えて構成されている。
主流路６４０は、ピストン６２０に貫通形成され第１シリンダ室６１１と第２シリンダ室６１２を連通する貫通孔６４１により構成されている。貫通孔６４１の内壁には、上端側から下端側に向かう途中に縮径部（弁座）６４２が形成され、貫通孔６４１は、上端側から下端側に向かう途中で縮径部６４２の段差により縮径する。また、ピストン６２０の下端面において、貫通孔６４１の開口部を径大するテーパ面６４３が形成されているところ、このテーパ面６４３は場所によって傾斜が異なり、ところにより急斜面６４４が設けられている。
微流路６５０は、ピストン６２０の外周面において軸線方向に沿って刻設された数条の溝条６５１により構成されている。
【００２９】
開閉手段６６０は、主流路６４０の貫通孔６４１内において縮径部６４２に載置されたリング状弾性部材としてのＯリング６６２と、主流路６４０の貫通孔６４１に上端側開口から挿入され貫通孔６４１の縮径部６４２にＯリング６６２を介して接離可能に着座する弁頭（弁体）６６１と、を備えて構成されている。
弁頭６６１は、貫通孔６４１内の縮径部６４２よりも上端側において昇降可能であって、弁頭６６１の径は少なくとも貫通孔６４２の下端側の径よりも大きい。そして、弁頭６６１が下方へ降下し、弁頭６６１と縮径部６４２とにてＯリング６６２が挟持されると、主流路６４０が閉塞される。
その一方、弁頭６６１が上方に移動して縮径部６４２から弁頭６６１が離間すると、主流路６４０が開放されて第１シリンダ室６１１と第２シリンダ室６１２とが連通される。
【００３０】
連動手段６７０は、弁頭（開閉手段）６６１から延出され貫通孔６４１を通過しスピンドル３００の上端に連結された弁棒６７１により構成されている。
弁棒６７１の下端にはスピンドル３００の雌ねじ３２０に螺合する雄ねじ６７２が設けられている。
ここで、弁棒６７１は、弁頭６６１が貫通孔６４１の縮径部６４２に着座した状態で、弁棒６７１の下端が貫通孔６４１の下端側開口から突出する程度の長さを有しており、スピンドル３００（の上端）とピストン６２０（の下面）との間に所定のギャップＧが存在する。
【００３１】
このような構成を備える第１実施形態の動作について図４、図５を参照して説明する。
図４は、スピンドル３００が持ち上げられてスピンドル３００が上方に移動する様子を示す図である。図５は、スピンドル３００が降下する様子を示す図である。
まず、図４を参照して、スピンドル３００が上方に移動する場合について説明する。
スピンドル３００が上方に移動すると、スピンドル３００とともに弁棒６７１および弁頭６６１が上方に移動する。弁頭６６１が上方に移動すると、弁頭６６１が縮径部６４２に配設されたＯリング６６２から離間する。すると、主流路６４０が開放される。
スピンドル３００がさらに上昇すると、スピンドル３００の上端がピストン６２０の下端面に当接し、ピストン６２０がスピンドル３００の上端により押し上げられる。
なお、スピンドル３００の上端面とピストン６２０の下端面とが当接したとき、貫通孔６４１の開口部に形成されたテーパ面６４３およびテーパ面６４３の一部に形成された急斜面６４４により、ピストン６２０（の下端面）とスピンドル３００（の上端面）との間に所定の隙間（連通路）が生じ、主流路６４０の連通が確保される。
【００３２】
ピストン６２０が上方に移動すると、第２シリンダ室６１２には正の圧力が生じる（なお、第１シリンダ室６１１には負の圧力が生じる）。このとき、第１シリンダ室６１１と第２シリンダ室６１２とは、微流路６５０に加えて主流路６４０により連通されているので、微流路６５０および主流路６４０を通って第２シリンダ室６１２から第１シリンダ室６１１に向けて空気（流体）が流入する。すると、第２シリンダ室６１２の正圧の発生（および第１シリンダ室６１１の負圧の発生）が所定のレベル以下に抑えられる。
これにより、スピンドル３００とともにピストン６２０が大きな抵抗を受けずにシリンダ６１０内を上方に移動する。
【００３３】
次に、図５を参照して、スピンドル３００が降下する場合について説明する。
例えばコイルバネ４４０の付勢力およびスピンドル３００の自重によってスピンドル３００が下方に移動すると、弁棒６７１を介して弁頭６６１が下方に移動する。
弁頭６６１が下方に移動すると、弁頭６６１と縮径部６４２との間にＯリング６６２が挟持され、Ｏリング６６２が弾性変形する。すると、弁頭６６１およびＯリング６６２により主流路６４０が閉塞される。このとき、第１シリンダ室６１１と第２シリンダ室６１２とは微流路６５０のみによって連通される。
スピンドル３００がさらに下方に移動すると、弁棒６７１を介して弁頭６６１が下方に移動し、Ｏリング６６２を介した弁頭６６１と縮径部６４２との係合によりピストン６２０が下方に向けて引き下げられる。
ピストン６２０が下方に移動すると、第２シリンダ室６１２には負の圧力が生じる（なお、第１シリンダ室６１１には正の圧力が生じる）。
第１シリンダ室６１１と第２シリンダ室６１２とは微流路６５０により連通されているので、微流路６５０を通って気体（流体）が第１シリンダ室６１１から第２シリンダ室６１２に流入する。
ここで、微流路６５０による流量が微小であるので、第２シリンダ室６１２の負圧はわずかずつしか緩衝されず、その結果、第２シリンダ室６１２の負圧によってピストン６２０の降下速度が減速（制動）される。そして、ピストン６２０の降下速度が制動されることによりスピンドル３００の降下速度が制動される。
【００３４】
このような第１実施形態によれば、次の効果を奏することができる。
（１）スピンドル３００が下方へ移動するときには弁頭６６１（開閉手段）により主流路６４０が閉じられ、スピンドル３００が上方へ移動する際には主流路６４０が開放される。従って、スピンドル３００が下方に移動するときにのみ制動効果が得られ、スピンドル３００が上方へ移動する際には制動効果が生じないようにできる。すなわち、スピンドル３００が下方へ急激に落下して被測定物（不図示）に測定子３１０が激突するなどの不都合を防止できる一方、スピンドルを上方へ容易に持ち上げることができる。
【００３５】
（２）第２シリンダ室６１２のみがピストン６２０により略液密に区画されればよいので、第１シリンダ室６１１は開放されていてもよい。従って、従来に比べて第１シリンダ室６１１を封止する工程も必要ない。その結果、組み立て工程が簡略化されて、製造効率を向上させることができる。
【００３６】
（３）連動手段６７０がスピンドル３００と弁頭６６１とを連結する弁棒６７１により構成されているので、非常に簡便な構成とできる。
また、縮径部６４２に着座した状態の弁頭６６１が弁棒６７１を介してスピンドル３００で引っ張られると弁頭６６１により主流路６４０が強く閉塞される。従って、すなわち、スピンドル３００が下方へ移動する際には主流路６４０が完全に閉じられ、第２シリンダ室６１２の（微流路６５０を除いた）気密性が高められる。その結果、スピンドル３００が下方に移動する際に確実にスピンドル３００に制動力が作用する。
【００３７】
（４）弁頭６６１が弁棒６７１を介してスピンドル３００とともに一体的に下方に移動され、このとき、弁頭６６１と縮径部６４２との係合によりピストン６２０も一体的にスピンドル３００とともに下方に引かれる。よって、スピンドル３００とピストン６２０とを係合させる手段を別途設ける必要がないので、構成を簡便にできる。
【００３８】
（５）縮径部６４２にＯリング６６２が配設され、弁頭６６１と縮径部６４２とにてＯリング６６２が挟持されたときのＯリング６６２の弾性変形により弁頭６６１と縮径部６４２との隙間が完全に封止される。すると、第２シリンダ室６１２の（微流路６５０を除いた）気密性が高められ、制動効果が高められる。
【００３９】
（６）ピストン６２０の下端面において、貫通孔６４１から下方に向けて径大するテーパ面６４３に急斜面６４４が設けられている。従って、スピンドル３００が上方に移動してスピンドル３００の上端面がピストン６２０の下端面に当接した状態で、主流路６４０を第１シリンダ室６１１に連通させる連通路が少なくとも急斜面６４４とスピンドル３００との間に確保される。よって、スピンドル３００が上方に移動してスピンドル３００でピストン６２０を押し上げる際には常に主流路６４０を介して第１シリンダ室６１１と第２シリンダ室６１２とが連通される。その結果、スピンドル３００が上方へ移動する際には制動力が作用せず、容易にスピンドル３００を持ち上げることができる。
【００４０】
（変形例１）
次に、本発明の測定器に係る変形例１について図６を参照して説明する。
変形例１の基本的構成は、第１実施形態に同様であるが、リフター部が付設されている点に特徴を有する。
図６において、リフター部９００が設けられている。
リフター部９００は、軸体９１０と、外筒部９２０と、を備えている。
軸体９１０は、シリンダ６１０の上端側開口からシリンダ６１０内に挿通された状態で、下端（一端）が弁頭６６１に螺合され、上端（他端）はシリンダ６１０の外部に突き出ている。
外筒部９２０は、軸体９１０の上端（他端）に取り付けられるとともにシリンダ６１０の外側を覆うようにシリンダ６１０に被せられている。
なお、シリンダ６１０の上端を閉塞するシリンダキャップ６１３は設けられていない。
【００４１】
このような構成において、リフター部９００の外筒部９２０を上方へ引き上げると、軸体９１０とともに弁頭６６１が上方へ引き上げられる。さらに、弁頭６６１とともに弁棒６７１が引き上げられると、弁棒６７１を介してスピンドル３００が引き上げられ、スピンドル３００の上端によりピストン６２０が押し上げられる。
【００４２】
一方、コイルバネ４４０によりスピンドルは下方に向けて付勢されているところ、スピンドル３００が下方へ移動する際の動作については第１実施形態と同様である。
【００４３】
このような構成によれば、上記実施形態の効果に加えて次の効果を奏することができる。
（７）リフター部９００によりスピンドル３００を上方に引き上げる操作を行うことができる。例えば、穴の深さを測定する場合などにスピンドル３００の下端側を手で持つことが不可能な場合でもリフター部９００によりスピンドル３００を上方に引き上げることができる。また、リフター部９００を設けるにあって、第１実施形態の構成からシリンダキャップ６１３を外してリフター部９００を弁頭６６１に取り付けるだけでよいので、リフター部９００の取り付けが非常に簡便である。
【００４４】
なお、リフター部９００の外筒部９２０とシリンダ６１０との隙間ｄは特に限定されないが、外筒部９２０とシリンダ６１０との隙間ｄを狭くすることが望ましい。外筒部９２０とシリンダ６１０との隙間が小さければ、第２シリンダ室６１２の気密性が高まり、第２シリンダ室６１２によってスピンドル３００の制動効果が得られる。
【００４５】
なお、本発明は前述の実施形態に限定されず、本発明の目的を達成できる範囲での変形、改良等は本発明に含まれる。
シリンダ６１０内には空気が入っていればよいが、シリンダ６１０内にオイル等の流体（例えば、粘性流体）を充填してもよい。
【００４６】
主流路６４０および微流路６５０としてはどこに形成されていてもよい。
微流路６５０はピストン６２０の外周面に刻設された溝条であるとしたが、微流路６５０としてピストン６２０を貫通する細孔が形成されてもよい。
さらに、シリンダ６１０の外側に第１シリンダ室６１１と第２シリンダ室６１２とを繋ぐ流路（例えば、チューブなど）が付設されていてもよい。そして、主流路には逆止弁が設けられてもよい。
あるいは、弁頭６６１が縮径部（弁座）６４２に着座したときに微流路６５０分の隙間が残されることにより微流路６５０が確保されてもよい。
なお、微流路６５０と主流路６４０との面積比は、特に限定されないが、主流路の方を大きくしておくことが例示される。
【００４７】
リフター部９００を付設するにあたっては、例えば、図７に示すように、シリンダ６１０を外してからリフター部９００を設けてもよい。
また、リフター部９００の形状は特に限定されず、外筒部９２０を有することなく軸体９１０のみで構成されていてもよい。
【産業上の利用可能性】
【００４８】
本発明は、ダイヤルゲージ等のスピンドルを備えた測定器において、スピンドルの制動装置として利用できる。
【図面の簡単な説明】
【００４９】
【図１】本発明の第１実施形態の正面図。
【図２】第１実施形態において、測定器の内部構成を示す図。
【図３】第１実施形態において、スピンドルの上端部および制動手段の構成を示す拡大断面図。
【図４】第１実施形態において、スピンドルが上方に移動する様子を示す図。
【図５】第１実施形態において、スピンドルが降下する様子を示す図。
【図６】本発明の測定器に係る変形例１において、リフター部が付設された様子を示す図。
【図７】変形例として、シリンダを外してリフター部を付設する様子を示す図。
【図８】従来の測定器において、スピンドルの制動手段を示す図。
【符号の説明】
【００５０】
１００…ダイヤルゲージ（測定器）、２００…本体ケース、２１０…ガイド手段、２１１…ステム、２１２…ブッシュ、２１３…フランジ部、２１４…縮径部、２１５…上端側径大部、２１６…縮径部、２１７…下端側径大部、２２０…表示部、３００…スピンドル、３１０…測定子、３２０…めねじ部、４００…付勢手段、４１０…ガイドロッド、４２０…ガイド片、４４０…コイルバネ、５００…変位検出手段、５１０…インデックススケール、５２０…取付部材、５３０…検出部、６００…制動手段（スピンドルの制動装置）、６１０…シリンダ、６１１…第１シリンダ室、６１２…第２シリンダ室、６１３…シリンダキャップ、６１６…第１区画室、６１７…第２区画室、６２０…ピストン、６２１…外縁壁、６２３…シリンダキャップ、６３０…流路、６４０…主流路、６４１…貫通孔、６４２…縮径部（弁座）、６４２…貫通孔、６４３…テーパ面、６４４…急斜面、６５０…微流路、６５１…溝条、６６０…開閉手段、６６１…弁頭（弁体）、６６２…Ｏリング、６７０…連動手段、６７１…弁棒、７００…制動手段、７１０…可動部材、７１１…貫通孔、７１２…キャップ、７３１…頭部、７４０…隔壁体、７４１…弁座、７４２…貫通孔、７５０…ボール体、７６０…キャップ、７６１…通気孔、８００…ダイヤルゲージ、９００…リフター部、９１０…軸体、９２０…外筒部、ｄ…隙間、Ｇ…ギャップ。
【図１】
2005300270.tif 000003
【図２】
2005300270.tif 000004
【図３】
2005300270.tif 000005
【図４】
2005300270.tif 000006
【図５】
2005300270.tif 000007
【図６】
2005300270.tif 000008
【図７】
2005300270.tif 000009
【図８】
2005300270.tif 000010